(57)【要約】【課題】動的に変化する条件で一時的に認証方法を変化させることによって、セキュリティレベルを上げることが可能でかつ利便性を保つことができる入退室管理システムを得る。【解決手段】部屋１０の扉１１に設置された電気錠と、扉１１の近傍の部屋１０の外側に設置された入室用の指紋認証付きカードリーダ２と、部屋１０の入退室を管理する入退室管理装置１とを設け、入退室管理装置１は、入室者の認証記録によって入室時の認証条件を一時的に変更する。【選択図】図１
2010102633.tif 000002
【特許請求の範囲】
【請求項１】
部屋の扉に設置された電気錠と、
前記扉の近傍の部屋の外側に設置された入室用の指紋認証付きカードリーダと、
前記部屋の入退室を管理する入退室管理装置とを備え、
前記入退室管理装置は、入室者の認証記録によって入室時の認証条件を一時的に変更する
ことを特徴とする入退室管理システム。
【請求項２】
前記入退室管理装置は、前記指紋認証付きカードリーダによるカード認証ＯＫの場合、記録された指認証実施の年月日に基づき指認証の未実施の期間が設定された一定期間に到達したときには、前記指紋認証付きカードリーダによる指認証を実施し、指認証ＯＫの場合、指認証実施の年月日を記録して扉の電気錠を解錠するとともに、指認証の未実施の期間が設定された一定期間に未到達のときには、扉の電気錠を解錠する
ことを特徴とする請求項１記載の入退室管理システム。
【請求項３】
前記入退室管理装置は、前記指紋認証付きカードリーダによるカード認証ＯＫの場合に在室人数を記録し、記録された在室人数が設定された在室人数に未到達のときには、前記指紋認証付きカードリーダによる指認証を実施し、指認証ＯＫの場合、扉の電気錠を解錠するとともに、記録された在室人数が設定された在室人数に到達したときには、扉の電気錠を解錠する
ことを特徴とする請求項１記載の入退室管理システム。
【請求項４】
前記入退室管理装置は、前記指紋認証付きカードリーダによる指認証ＯＫの場合、記録されたカード認証実施の年月日に基づきカード認証の未実施の期間が設定された一定期間に到達したときには、前記指紋認証付きカードリーダによるカード認証を実施し、カード認証ＯＫの場合、カード認証実施の年月日を記録して扉の電気錠を解錠するとともに、カード認証の未実施の期間が設定された一定期間に未到達のときには、扉の電気錠を解錠する
ことを特徴とする請求項１記載の入退室管理システム。
【請求項５】
前記入退室管理装置は、前記指紋認証付きカードリーダによる指認証ＯＫの場合に在室人数を記録し、記録された在室人数が設定された在室人数に未到達のときには、前記指紋認証付きカードリーダによるカード認証を実施し、カード認証ＯＫの場合、扉の電気錠を解錠するとともに、記録された在室人数が設定された在室人数に到達したときには、扉の電気錠を解錠する
ことを特徴とする請求項１記載の入退室管理システム。
【請求項６】
前記一定期間を入室時の時間別又は入室する部屋別に設定する
ことを特徴とする請求項２又は４記載の入退室管理システム。
【請求項７】
前記在室人数を入室時の時間別又は入室する部屋別に設定する
ことを特徴とする請求項３又は５記載の入退室管理システム。
【発明の詳細な説明】
【技術分野】
【０００１】
この発明は、指紋認証付カードリーダ装置を用いた入退室管理システムに関するものである。
【背景技術】
【０００２】
従来の入退室管理システムにおいては、カードと指の認証を併用できる認証端末を出入り口に設置し、時間や場所、登録ＩＤによってカードのみを認証する、指のみを認証する、カードまたは指の少なくとも一方を認証する、カードと指の両方を認証するといったように認証条件を変化させ運用していた（例えば、特許文献１参照）。
【０００３】
【特許文献１】特開２００５−３５０９６０号公報
【発明の開示】
【発明が解決しようとする課題】
【０００４】
上述したような従来の入退室管理システムでは、特定の時間や特定の場所、特定の個人（ＩＤ）といった条件においてセキュリティレベルを変化させることによってセキュリティ性と利便性を確保しているが、同じ時間や場所でしか認証しない人に対しては常に一定のセキュリティレベルしか確保できないという問題点があった。
【０００５】
また、従来の入退室管理システムでは、カードのみで運用している時間や場所では、他人のカードを使って通行できてしまい、カードと指の両方認証をする設定にすれば回避することができるが利便性が損なわれてしまうという問題点があった。
【０００６】
この発明は、上述のような課題を解決するためになされたもので、その目的は、動的に変化する条件で一時的に認証方法を変化させることによって、セキュリティレベルを上げることが可能でかつ利便性を保つことができる入退室管理システムを得るものである。
【課題を解決するための手段】
【０００７】
この発明に係る入退室管理システムは、部屋の扉に設置された電気錠と、前記扉の近傍の部屋の外側に設置された入室用の指紋認証付きカードリーダと、前記部屋の入退室を管理する入退室管理装置とを設け、前記入退室管理装置は、入室者の認証記録によって入室時の認証条件を一時的に変更するものである。
【発明の効果】
【０００８】
この発明に係る入退室管理システムは、動的に変化する条件で一時的に認証方法を変化させることによって、セキュリティレベルを上げることが可能でかつ利便性を保つことができるという効果を奏する。
【発明を実施するための最良の形態】
【０００９】
実施の形態１．
この発明の実施の形態１に係る入退室管理システムについて図１及び図２を参照しながら説明する。図１は、この発明の実施の形態１に係る入退室管理システムの構成を示す図である。
【００１０】
図１において、この発明の実施の形態１に係る入退室管理システムは、部屋１０の入退室を管理する、ＣＰＵ、メモリ等から構成される入退室管理装置１と、部屋１０の扉１１近傍の外側に設置された入室用の指紋認証付きカードリーダ２と、部屋１０の扉１１近傍の内側に設置された退室用の指紋認証付きカードリーダ３と、扉１１に設置された電気錠（図示しない）とが設けられている。なお、電気錠と入退室管理装置１は、信号線（図示しない）によって接続されている。
【００１１】
つぎに、この実施の形態１に係る入退室管理システムの動作について図面を参照しながら説明する。図２は、この発明の実施の形態１に係る入退室管理システムの入室動作を示すフローチャートである。
【００１２】
部屋１０に入室する際には、入室者が入室用の指紋認証付きカードリーダ２でカードまたは指を提示することで、入退室管理装置１は、認証を行い、ＯＫならば扉１１の電気錠を解錠する。
【００１３】
部屋１０から退室する際には、退室者が退室用の指紋認証付きカードリーダ３でカードまたは指を提示することで、入退室管理装置１は、認証を行い、ＯＫならば扉１１の電気錠を解錠する。
【００１４】
まず、ステップ１０１において、入退室管理装置１は、入室者が指紋認証付きカードリーダ２でカードをかざすことによりカードの認証を行う。
【００１５】
次に、ステップ１０２〜１０３において、入退室管理装置１は、カード認証がＯＫだったときにカードで認証したことを記録する。個人ＩＤ、カード認証の年月日、時間や、当日のカード認証ＯＫの入室者、退室者をカウントして当日のカード認証ＯＫの入室者数、退室者数、在室人数（＝入室者数−退室者数）などをメモリに記憶する。なお、カード認証がＮＧの場合には、ステップ１０１に戻る。
【００１６】
次に、ステップ１０４において、入退室管理装置１は、入室者が以前に指による認証を行ってからの期間をチェックする。設定された一定期間の間、１度も指認証が行われていなかったかどうかを判断する。入室者の個人ＩＤについて、現在年月日から、メモリに記憶された指認証の年月日を引き算して、指による認証が行われていなかった期間を求め、設定された一定期間に到達したかどうかを判断する。一定期間の間、指による認証が行われていなかった場合、つまり、指認証が行われていなかった期間が設定された一定期間に到達した場合には、次のステップ１０５に進み、指による認証が行われていた場合には、ステップ１０８に進む。この一定期間は、指紋認証付きカードリーダ２が設置された場所により異なるが、１週間、数週間、１か月、数ヶ月などである。
【００１７】
次に、ステップ１０５において、入退室管理装置１は、設定された一定期間の間、１度も指による認証が行われていなかった場合には、さらに指認証を要求する。入退室管理装置１は、指紋認証付きカードリーダ２の液晶パネル等の表示装置に、例えば、『指認証を行って下さい。』を表示する。また、スピーカ等の音声装置に、例えば、『指認証を行って下さい。』を音声出力する。表示装置、音声装置のいずれか一方で入室者に知らせてもよいし、表示装置、音声装置の両方で同時に入室者に知らせてもよい。
【００１８】
次に、ステップ１０６〜１０７において、入退室管理装置１は、入室者が指を指紋認証付きカードリーダ２に置くことで指の認証を行ったかどうかを判断する。指の認証がＯＫだったときに指による認証を行ったことを記録する。個人ＩＤ、指認証の年月日、時間などをメモリに記憶する。なお、認証がＮＧの場合には、ステップ１０１に戻る。
【００１９】
そして、ステップ１０８において、入退室管理装置１は、扉１１の電気錠を解錠する。ステップ１０４で設定された一定期間内に指認証を行っていた場合には指認証を行わず、そのまま扉１１の電気錠を解錠する。
【００２０】
このように、入室する部屋１０の認証条件を変化させるのではなく、通行するユーザの情報を条件に使うことで、通常利用はカードのみの運用を行い、特定の場合のみに指認証を要求することによって、常に指認証を要求することがなく利便性を確保したまま、定期的に指認証を行うことでセキュリティ性を向上することができる。
【００２１】
ユーザ個別情報を用いることで、特定の時間帯や場所しか利用しないユーザであっても定期的に指認証を行うことが可能になる。また、ユーザ別に条件を設定することで柔軟な運用が可能である。
【００２２】
なお、退室用の指紋認証付きカードリーダ３の退室動作は、入室用の指紋認証付きカードリーダ２の入室動作と同じでもよいし、セキュリティレベルを下げた、例えば、図２の前半部分のカード認証だけでもよい。
【００２３】
実施の形態２．
この発明の実施の形態２に係る入退室管理システムについて図３を参照しながら説明する。図３は、この発明の実施の形態２に係る入退室管理システムの入室動作を示すフローチャートである。なお、この発明の実施の形態２に係る入退室管理システムの構成は、上記の実施の形態１と同様である。
【００２４】
図３において、ステップ２０１〜２０８のうち、ステップ２０４を除いて、ステップ２０１〜２０３及びステップ２０５〜２０８の動作は、上記の実施の形態１のステップ１０１〜１０３及びステップ１０５〜１０８の動作と同じである。
【００２５】
ステップ２０４において、入退室管理装置１は、入室する部屋１０の在室人数をチェックする。設定された在室人数未満、つまり在室人数より少ないかどうかを判断する。メモリに記憶された当日（現在）の在室人数が、設定された在室人数に到達したかどうかを判断する。当日の在室人数が設定された在室人数より少ない場合、つまり、当日の在室人数が設定された在室人数に未到達の場合には、ステップ２０５に進み、指認証を要求する。設定された在室人数以上の場合、つまり設定された在室人数に到達した場合には、ステップ２０８に進む。この設定された在室人数定は、部屋１０の大きさ等により異なるが、例えば、部屋１０の定員が１０人の場合は３人などである。
【００２６】
なお、上記の実施の形態１及び２において、カード認証と指認証を入れ替えて実施することも可能である。
【００２７】
また、上記の実施の形態１及び２において、設定された一定期間、在室人数を、入室時の時間別又は入室する部屋別に設定することも可能である。例えば、入室時の時間が０７：００〜０９：００の場合、一定期間を１ヶ月、在室人数を３人に設定し、入室時の時間が０９：００〜１２：００の場合、一定期間を１週間、在室人数を４人に設定する。また、入室する部屋がＡの場合、一定期間を数週間、在室人数を２人に設定し、入室する部屋がＢの場合、一定期間を数ヶ月、在室人数を５人に設定する。
【図面の簡単な説明】
【００２８】
【図１】この発明の実施の形態１に係る入退室管理システムの構成を示す図である。
【図２】この発明の実施の形態１に係る入退室管理システムの入室動作を示すフローチャートである。
【図３】この発明の実施の形態２に係る入退室管理システムの入室動作を示すフローチャートである。
【符号の説明】
【００２９】
１  入退室管理装置、２  指紋認証付きカードリーダ、３  指紋認証付きカードリーダ、１０  部屋、１１  扉。
【図１】
2010102633.tif 000003
【図２】
2010102633.tif 000004
【図３】
2010102633.tif 000005